(57)【要約】  ダウローダ（１１１）は、コンテンツ権利者からサービス事業者が視聴サービス実施の許諾を受けたサービス提供機関と各ユーザが視聴できる期間を表す視聴期間とを、コンテンツとともにサーバ（１００）から受信する。ライセンス情報変換部（１１４）は、前記サービス提供期間から前記視聴期間を減算して、ユーザが初回の視聴ができる初回視聴期限を算出する。書き出し部（１１２）は、前記初回視聴期限と前記視聴期限とをコンテンツとともに、可換媒体（１１３）に書き出す。視聴端末（１２０）は、ユーザによる初回視聴時刻が前記初回視聴期限内の場合に、初回視聴時刻に前記視聴期間を加算して視聴期限を算出し、前記可換媒体に書き戻す。
2011117942.tif 000002
【特許請求の範囲】
【請求項１】
最初に再生される際から所定の長さの許諾視聴期間の視聴が許諾されるコンテンツをコンテンツサーバから受信し、前記コンテンツを可換媒体に書き出すコンテンツ受信機であって、
前記コンテンツ毎に絶対時間によって確定されている、再生を許諾する確定提供期間と、前記許諾視聴期間とを前記コンテンツサーバから受信する期間情報受信部と、
前記許諾視聴期間および前記確定提供期間に基づいて再生開始可能期間を得る再生期間情報生成部と、
前記再生開始可能期間、前記許諾視聴期間および前記コンテンツを、前記可換媒体に書き出す書き出し部とを備えた、コンテンツ受信機。
【請求項２】
前記再生期間情報生成部は、前記確定提供期間の最終時刻から前記許諾視聴期間を減算した期間を前記再生開始可能期間とする、請求項１に記載のコンテンツ受信機。
【請求項３】
前記書き出し部は、書き出し時の現在時刻が前記再生開始可能期間を超過していた場合には、前記コンテンツを前記可換媒体へ書き出さない、請求項１に記載のコンテンツ受信機。
【請求項４】
前記書き出し部は、書き出し時の現在時刻が前記再生開始可能期間を超過しており、かつ前記確定提供期間を超過していない場合には、前記確定提供期間の最終時刻を、前記コンテンツを視聴可能な有効期限として前記可換媒体へ書き出す、請求項１に記載のコンテンツ受信機。
【請求項５】
最初に再生される際から所定の長さの許諾視聴期間の視聴が許諾されるコンテンツを蓄積したコンテンツサーバと、前記コンテンツを前記コンテンツサーバから受信し可換媒体に書き出すコンテンツ受信機と、前記可換媒体に記録された前記コンテンツを再生するコンテンツ再生機とを備えたコンテンツ利用システムであって、
前記コンテンツサーバは、
前記コンテンツ毎に絶対時間によって確定されている、再生を許諾する確定提供期間と、前記許諾視聴期間とを前記コンテンツ受信機へ送信する期間情報送信部を有し、
前記コンテンツ受信機は、
前記許諾視聴期間および前記確定提供期間を前記コンテンツサーバから受信する期間情報受信部と、
前記許諾視聴期間および前記確定提供期間に基づいて再生開始可能期間を得る再生期間情報生成部と、
前記再生開始可能期間、前記許諾視聴期間および前記コンテンツを、前記可換媒体に書き出す書き出し部とを有し、
前記コンテンツ再生機は、
前記可換媒体に記録された前記コンテンツの再生を開始する際に、現在時刻と前記再生開始可能期間とを比較し、前記現在時刻が前記再生開始可能期間内の時刻であれば、前記現在時刻に前記許諾視聴期間を加算した時刻を前記コンテンツを視聴可能な有効期限と設定して、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、コンテンツ再生部を有する、コンテンツ利用システム。
【請求項６】
前記所定条件とは、前記現在時刻が、前記再生開始可能期間の最終時刻に前記許諾視聴期間を加算した時刻を超過していることであり、
前記コンテンツ再生部は、前記現在時刻が前記再生開始可能期間より後の時刻であり、かつ前記加算した時刻を超過していない場合には、前記加算した時刻を前記有効期限と設定して、前記コンテンツを再生する、請求項５に記載のコンテンツ利用システム。
【請求項７】
前記コンテンツ再生部は、前記所定条件に代えて無条件とし、前記現在時刻が前記再生開始可能期間を超過していた場合には、前記コンテンツを削除または無効化する、請求項５に記載のコンテンツ利用システム。
【請求項８】
最初に再生される際から所定の長さの許諾視聴期間の視聴が許諾されるコンテンツを蓄積したコンテンツサーバと、前記コンテンツを前記コンテンツサーバから受信し可換媒体に書き出すコンテンツ受信機と、前記可換媒体に記録された前記コンテンツを再生するコンテンツ再生機とを備えたコンテンツ利用システムにおけるコンテンツ再生方法であって、
前記コンテンツ毎に絶対時間によって確定されている、再生を許諾する確定提供期間と、前記許諾視聴期間とを前記コンテンツサーバから前記コンテンツ受信機へ送信する期間情報送信ステップと、
前記コンテンツ受信機によって、前記許諾視聴期間および前記確定提供期間に基づいて再生開始可能期間を得る再生期間情報生成ステップと、
前記コンテンツ受信機によって、前記再生開始可能期間、前記許諾視聴期間および前記コンテンツを、前記可換媒体に書き出す書き出しステップと、
前記コンテンツ再生機によって、前記可換媒体に記録された前記コンテンツの再生を開始する際に、現在時刻と前記再生開始可能期間とを比較し、前記現在時刻が前記再生開始可能期間内の時刻であれば、前記現在時刻に前記許諾視聴期間を加算した時刻を前記コンテンツを視聴可能な有効期限と設定して、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、コンテンツ再生ステップとを備えた、コンテンツ再生方法。
【請求項９】
請求項８に記載のコンテンツ再生方法の、前記許諾視聴期間および前記確定提供期間に基づいて再生開始可能期間を得る前記再生期間情報生成ステップ、および、前記可換媒体に記録された前記コンテンツの再生を開始する際に、現在時刻と前記再生開始可能期間とを比較し、前記現在時刻が前記再生開始可能期間内の時刻であれば、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、前記コンテンツ再生ステップをコンピュータに実行させるプログラム。
【請求項１０】
請求項９に記載のプログラムを記録した記録媒体であって、コンピュータにより処理可能な記録媒体。
【発明の詳細な説明】
【技術分野】
【０００１】
本発明は、有限の視聴期限をもつレンタルコンテンツを可換媒体に書き出すコンテンツ受信機、コンテンツ利用システム、およびコンテンツ再生方法等に関する。
【背景技術】
【０００２】
近年、インターネットの発達により、映画や音楽等をダウンロードして再生する技術が一般化しつつある。映画や音楽等のコンテンツ配信を行うサーバから、ＰＣ、ＡＶ機器、携帯電話やポータブル機器にネットワーク経由でコンテンツをダウンロードするサービスが多く提供されている。【０００３】
この様なコンテンツ配信サービスの形態においては、ユーザが購入したコンテンツを永続的に視聴可能な売り切り型のコンテンツ販売と、ダウンロードしたコンテンツを限られた視聴期限の中で視聴することが可能なレンタル販売とがある。【０００４】
典型的なダウンロード型のレンタル販売においては、コンテンツを供給するコンテンツ事業者がコンテンツサーバとＤＲＭサーバを運用し、視聴者側のコンテンツ受信機はコンテンツサーバから暗号化されたレンタルコンテンツをダウンロードするとともに、ＤＲＭサーバから暗号化コンテンツの復号鍵とコンテンツの視聴条件とを取得する。コンテンツの視聴条件の中には、当該コンテンツを視聴することが許される視聴期限情報や、コンテンツの複製条件などが含まれる。【０００５】
コンテンツ受信機はレンタルコンテンツを再生する場合に、ＤＲＭサーバから指定された視聴期限を参照し、視聴期限が超過していなければ当該コンテンツの再生を開始するとともに、視聴期限を超過していれば当該コンテンツの削除を実施する。【０００６】
また、コンテンツ受信機は、レンタルコンテンツを視聴期限とともにＳＤカードなどの可換媒体に書き出すこともあり、この場合もＳＤカードの再生端末はレンタルコンテンツを再生しようとしたとき、または再生を終えたときに当該コンテンツの視聴期限を検査し、視聴期限が超過していれば、当該コンテンツを削除する。この種の視聴期限付きコンテンツの再生方法として例えば、特許文献１に記載されているようなものがあった。【０００７】
図６は、従来のコンテンツダウンロードにおいて、コンテンツをサーバからダウンロードした端末が、ダウンロード端末自身にコンテンツを蓄積して視聴する場合のシーケンス図であり、図７は、他の端末でこのコンテンツを視聴するためにコンテンツをＳＤカードに書き出す場合のシーケンス図である。【０００８】
ダウンロード端末３０２自身がコンテンツを視聴する場合、図６に示すように、ダウンロード端末３０２は、インターネット（図示せず）を介してコンテンツサーバ３００から暗号化レンタルコンテンツをダウンロードして、ダウンロード端末３０２内のＨＤＤ３０３に蓄積する。ダウンロード端末３０２のユーザがこのレンタルコンテンツを再生する指示を行ったとき、ダウンロード端末３０２は当該コンテンツの視聴ライセンスをライセンスサーバ３０１から取得するために、視聴ライセンス要求３０４をライセンスサーバ３０１に送信し、ライセンスサーバ３０１は、視聴ライセンス要求３０４を受信した時刻をもとに、当該コンテンツの視聴期限を決定し、視聴期限付き視聴ライセンス３０５としてダウンロード端末３０２に返送する。【０００９】
ダウンロード端末３０２は、ライセンスサーバ３０１から取得した視聴期限付き視聴ライセンス３０５から、暗号化レンタルコンテンツの復号鍵と、視聴期限とを取り出し、現在時刻と視聴期限とを比較し、現在時刻が視聴期限の範囲内であれば当該コンテンツの復号および再生を行う。【００１０】
またダウンロード端末３０２が、他の端末で視聴を行うために、レンタルコンテンツをＳＤカード３０８に書き出す場合には、図７に示すように、最初にライセンスサーバ３０１に対して書き出しライセンス要求３０６を送付する。先ほどの視聴ライセンスの場合とは異なり、書き出しライセンスの場合は、ＳＤカード３０８に書き出した時刻と、初回視聴を開始する時刻とが大きく離れている場合があるため、ライセンスサーバ３０１は視聴期限を確定させること無く、例えば「４８時間視聴可能」などの視聴可能な時間の長さを示す視聴期間情報を、視聴期間付き書き出しライセンス３０７に設定してダウンロード端末３０２に返送する。【００１１】
ダウンロード端末３０２は、受信した視聴期間付き書き出しライセンス３０７から暗号化レンタルコンテンツの復号鍵を取り出し、コンテンツサーバ３００から暗号化レンタルコンテンツをダウンロードしながらこれを復号し、ＳＤカード３０８への書き出し暗号化を並列して実施しつつＳＤカード３０８への書き出しを行う。【００１２】
この場合、ＳＤカード３０８への書き出しを行っている時点では視聴期限がまだ確定していないため、ＳＤカード３０８上に記録されたレンタルコンテンツの管理情報としては、絶対日時の視聴期限ではなく、例えば４８時間などの視聴期間（視聴期間情報３１１）が記録される。【００１３】
ＳＤカード３０８上のレンタルコンテンツを再生する視聴端末３１０においては、初回再生時に時刻情報を参照し、この視聴期間を視聴期限情報に変換してから視聴を行うことにより視聴期限が確定し、書き出し時刻から４８時間ではなく、初回視聴時刻から４８時間の視聴が可能となる。
【先行技術文献】
【特許文献】
【００１４】
【特許文献１】特開２００３−１２２６４３号公報
【発明の概要】
【発明が解決しようとする課題】
【００１５】
しかしながら、上記従来の技術においてレンタルコンテンツをＳＤカードに書き出す場合、ＳＤカード３０８にレンタルコンテンツを書き出す際には視聴期限が確定しておらず、視聴期限を確定させるのは視聴端末３１０であるため、サービス事業者やコンテンツ権利者の意図するサービス提供期間を遵守することができないという課題があった。【００１６】
具体的に説明すると、サービス事業者がコンテンツ権利者からレンタルコンテンツのサービス使用許諾を取得する際には、サービスを実施してよいサービス期間、すなわちそのコンテンツをユーザに視聴させてもよい期間が定められる。例えば、劇場で公開された映画をレンタルサービスに利用する場合、サービス事業者がコンテンツ権利者から得るサービス許諾条件として、劇場公開初日から起算して９０日後から３６０日後までの２７０日間に限ってサービスを実施してよい、などのサービス提供期間が定められる。【００１７】
図６に示したような、ダウンロード端末３０２がレンタルコンテンツを初回再生するときにライセンスサーバ３０１から視聴期限付き視聴ライセンス３０５を取得するモデルであれば、ライセンスサーバ３０１が視聴期限付き視聴ライセンス３０５をダウンロード端末３０２に返送する際に、当該コンテンツのサービス提供期間の範囲内であるか否かを判断すればよいので、サービス提供期間の範囲外において視聴期限付き視聴ライセンス３０５がダウンロード端末３０２に渡されることは無く、結果としてサービス事業者はサービス提供期間外にダウンロード端末３０２にレンタルコンテンツの視聴をさせないとともに、初回視聴を行う時刻をもとに視聴期限を定めることが実現できた。【００１８】
これに対して、図７に示すような、ＳＤカード３０８への書き出しを行うモデルでは、初回視聴を行う時刻をもとに視聴期限を定めるためには、視聴期間付き書き出しライセンス３０７をあらかじめダウンロード端末３０２に与えてＳＤカード３０８に書き出しを実施しておき、ＳＤカード３０８を再生する端末（図示せず）が「視聴期間」を「視聴期限」に変換することを行う必要があるため、コンテンツ権利者やサービス事業者の意図しない日時に初回再生を実施されてしまう可能性があり、結果としてサービス事業者はサービス提供期間を遵守することができなくなってしまうという課題があった。【００１９】
本発明は、上記従来の課題を考慮して、視聴期限が確定していないレンタルコンテンツを可換媒体に書き出した場合でも、そのコンテンツに対するサービス提供期間を遵守できる、コンテンツ受信機、コンテンツ利用システム、およびコンテンツ再生方法等を提供することを目的とする。
【課題を解決するための手段】
【００２０】
上述した課題を解決するために、第１の本発明は、
最初に再生される際から所定の長さの許諾視聴期間の視聴が許諾されるコンテンツをコンテンツサーバから受信し、前記コンテンツを可換媒体に書き出すコンテンツ受信機であって、
前記コンテンツ毎に絶対時間によって確定されている、再生を許諾する確定提供期間と、前記許諾視聴期間とを前記コンテンツサーバから受信する期間情報受信部と、
前記許諾視聴期間および前記確定提供期間に基づいて再生開始可能期間を得る再生期間情報生成部と、
前記再生開始可能期間、前記許諾視聴期間および前記コンテンツを、前記可換媒体に書き出す書き出し部とを備えた、コンテンツ受信機である。【００２１】
また、第２の本発明は、
前記再生期間情報生成部は、前記確定提供期間の最終時刻から前記許諾視聴期間を減算した期間を前記再生開始可能期間とする、第１の本発明のコンテンツ受信機である。【００２２】
また、第３の本発明は、
前記書き出し部は、書き出し時の現在時刻が前記再生開始可能期間を超過していた場合には、前記コンテンツを前記可換媒体へ書き出さない、第１の本発明のコンテンツ受信機である。【００２３】
また、第４の本発明は、
前記書き出し部は、書き出し時の現在時刻が前記再生開始可能期間を超過しており、かつ前記確定提供期間を超過していない場合には、前記確定提供期間の最終時刻を、前記コンテンツを視聴可能な有効期限として前記可換媒体へ書き出す、第１の本発明のコンテンツ受信機である。【００２４】
また、第５の本発明は、
最初に再生される際から所定の長さの許諾視聴期間の視聴が許諾されるコンテンツを蓄積したコンテンツサーバと、前記コンテンツを前記コンテンツサーバから受信し可換媒体に書き出すコンテンツ受信機と、前記可換媒体に記録された前記コンテンツを再生するコンテンツ再生機とを備えたコンテンツ利用システムであって、
前記コンテンツサーバは、
前記コンテンツ毎に絶対時間によって確定されている、再生を許諾する確定提供期間と、前記許諾視聴期間とを前記コンテンツ受信機へ送信する期間情報送信部を有し、
前記コンテンツ受信機は、
前記許諾視聴期間および前記確定提供期間を前記コンテンツサーバから受信する期間情報受信部と、
前記許諾視聴期間および前記確定提供期間に基づいて再生開始可能期間を得る再生期間情報生成部と、
前記再生開始可能期間、前記許諾視聴期間および前記コンテンツを、前記可換媒体に書き出す書き出し部とを有し、
前記コンテンツ再生機は、
前記可換媒体に記録された前記コンテンツの再生を開始する際に、現在時刻と前記再生開始可能期間とを比較し、前記現在時刻が前記再生開始可能期間内の時刻であれば、前記現在時刻に前記許諾視聴期間を加算した時刻を前記コンテンツを視聴可能な有効期限と設定して、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、コンテンツ再生部を有する、コンテンツ利用システムである。【００２５】
また、第６の本発明は、
前記所定条件とは、前記現在時刻が、前記再生開始可能期間の最終時刻に前記許諾視聴期間を加算した時刻を超過していることであり、
前記コンテンツ再生部は、前記現在時刻が前記再生開始可能期間より後の時刻であり、かつ前記加算した時刻を超過していない場合には、前記加算した時刻を前記有効期限と設定して、前記コンテンツを再生する、第５の本発明のコンテンツ利用システムである。【００２６】
また、第７の本発明は、
前記コンテンツ再生部は、前記所定条件に代えて無条件とし、前記現在時刻が前記再生開始可能期間を超過していた場合には、前記コンテンツを削除または無効化する、第５の本発明のコンテンツ利用システムである。【００２７】
また、第８の本発明は、
最初に再生される際から所定の長さの許諾視聴期間の視聴が許諾されるコンテンツを蓄積したコンテンツサーバと、前記コンテンツを前記コンテンツサーバから受信し可換媒体に書き出すコンテンツ受信機と、前記可換媒体に記録された前記コンテンツを再生するコンテンツ再生機とを備えたコンテンツ利用システムにおけるコンテンツ再生方法であって、
前記コンテンツ毎に絶対時間によって確定されている、再生を許諾する確定提供期間と、前記許諾視聴期間とを前記コンテンツサーバから前記コンテンツ受信機へ送信する期間情報送信ステップと、
前記コンテンツ受信機によって、前記許諾視聴期間および前記確定提供期間に基づいて再生開始可能期間を得る再生期間情報生成ステップと、
前記コンテンツ受信機によって、前記再生開始可能期間、前記許諾視聴期間および前記コンテンツを、前記可換媒体に書き出す書き出しステップと、
前記コンテンツ再生機によって、前記可換媒体に記録された前記コンテンツの再生を開始する際に、現在時刻と前記再生開始可能期間とを比較し、前記現在時刻が前記再生開始可能期間内の時刻であれば、前記現在時刻に前記許諾視聴期間を加算した時刻を前記コンテンツを視聴可能な有効期限と設定して、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、コンテンツ再生ステップとを備えた、コンテンツ再生方法である。【００２８】
また、第９の本発明は、
第８の本発明のコンテンツ再生方法の、前記許諾視聴期間および前記確定提供期間に基づいて再生開始可能期間を得る前記再生期間情報生成ステップ、および、前記可換媒体に記録された前記コンテンツの再生を開始する際に、現在時刻と前記再生開始可能期間とを比較し、前記現在時刻が前記再生開始可能期間内の時刻であれば、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、前記コンテンツ再生ステップをコンピュータに実行させるプログラムである。【００２９】
また、第１０の本発明は、
第９の本発明のプログラムを記録した記録媒体であって、コンピュータにより処理可能な記録媒体である。
【発明の効果】
【００３０】
本発明により、視聴期限が確定していないレンタルコンテンツを可換媒体に書き出した場合でも、そのコンテンツに対するサービス提供期間を遵守できるコンテンツ受信機、コンテンツ利用システム、およびコンテンツ再生方法等を提供できる。
【図面の簡単な説明】
【００３１】
【図１】本発明の実施の形態１における、ダウンロードシステムの構成図
【図２】（ａ）本発明の実施の形態１の、ダウンロード端末がサーバから取得するライセンス情報の構成例を示す図、（ｂ）本発明の実施の形態１の、ライセンス情報変換部が作成するライセンス情報の構成例を示す図、（ｃ）本発明の実施の形態１の、視聴期限判定部が視聴期限を確定したライセンス情報の構成例を示す図
【図３】本発明の実施の形態１の、ライセンス情報で示される各期間および各時刻の関係を示す図
【図４】本発明の実施の形態１の、視聴端末の視聴期限判定部における視聴期限確定処理のフローチャート
【図５】本発明の実施の形態１において、視聴期間確保不可期間に暗号化レンタルコンテンツをＳＤカードに書き出す際に、ライセンス情報変換部が作成するライセンス情報の構成例を示す図
【図６】従来のコンテンツダウンロードシステムにおいて、コンテンツをサーバからダウンロードした端末自身がコンテンツを視聴する場合の処理を表すシーケンス図
【図７】従来のコンテンツダウンロードシステムにおいて、コンテンツをサーバからダウンロードした端末とは別の端末でそのコンテンツを視聴する場合の処理を表すシーケンス図
【発明を実施するための形態】
【００３２】
以下、本発明の実施の形態について、図面を参照しながら説明する。
【００３３】
（実施の形態１）
図１は、本発明の実施の形態１におけるダウンロードシステムの構成図である。
【００３４】
ダウンロード端末１１０におけるダウンローダ１１１は、インターネットなどのネットワーク（図示せず）を介して接続されているサーバ１００から暗号化レンタルコンテンツ１０１をダウンロードし、ＳＤカード書き出し部１１２を介してＳＤカード１１３にこれを書き込む。またダウンローダ１１１は、ダウンロードした暗号化レンタルコンテンツ１０１に関連付けられたライセンス情報１０２を同様に取得し、ライセンス情報変換部１１４においてこれをライセンス情報１１５に変換した後、ＳＤカード書き出し部１１２を介してＳＤカード１１３に書き込む。
【００３５】
サーバ１００の送信部１０９は、ダウンロード端末１１０のダウンローダ１１１からの要求に応じて、サーバ１００内に蓄積している著作権保護された暗号化レンタルコンテンツ１０１およびライセンス情報１０２をダウンロード端末１１０へ送信する。
【００３６】
なお、ダウンロード端末１１０が、本発明のコンテンツ受信機の一例にあたり、サーバ１００が、本発明のコンテンツサーバの一例にあたる。また、ＳＤカード１１３が、本発明の可換媒体の一例にあたる。可換媒体とは、交換可能な記録メディアのことである。また、ダウンローダ１１１が、本発明の期間情報受信部の一例にあたり、ＳＤカード書き出し部１１２が、本発明の書き出し部の一例にあたる。また、ライセンス情報変換部１１４が、本発明の再生期間情報生成部の一例にあたる。また、サーバ１００の送信部１０９が、本発明の期間情報送信部の一例にあたる。また、サーバ１００からダウンロードされる暗号化レンタルコンテンツ１０１が、本発明の、最初に再生される際から所定の長さの許諾視聴期間の視聴が許諾されるコンテンツの一例にあたる。
【００３７】
ダウンロード端末１１０において暗号化レンタルコンテンツ１０１およびライセンス情報１１５が書き出されたＳＤカード１１３を、視聴端末１２０に挿入することにより、ダウンロード端末１１０とは別の視聴端末１２０で暗号化レンタルコンテンツ１０１を視聴することができる。
【００３８】
視聴端末１２０のＳＤカード読み書き部１２１が、ＳＤカード１１３に記録されている暗号化レンタルコンテンツ１０１およびライセンス情報１１５を読み込み、視聴期限判定部１２３がライセンス情報１１５に含まれる視聴期限に関する情報にしたがって暗号化レンタルコンテンツ１０１の再生可否の判定を行ない、再生可能と判定された場合には、再生制御部１２４が暗号化レンタルコンテンツ１０１を復号して、視聴端末１２０に内蔵されている画面や視聴端末１２０に接続されているディスプレイなどに出力して再生する。
【００３９】
なお、視聴端末１２０が、本発明のコンテンツ再生機の一例にあたり、視聴期限判定部１２３と再生制御部１２４を合わせた構成が、本発明のコンテンツ再生部の一例にあたる。
【００４０】
ダウンロード端末１１０のライセンス情報変換部１１４は、サーバ１００からライセンス情報１０２を取得し、ＳＤカード書き込み用のライセンス情報１１５を作成する。
【００４１】
図２（ａ）は、ダウンロード端末１１０がサーバ１００から取得したライセンス情報１０２の構成例を、図２（ｂ）は、ライセンス情報変換部１１４が作成したライセンス情報１１５の構成例を、それぞれ示している。
【００４２】
また、図３に、ライセンス情報１０２およびライセンス情報１１５で示される各期間および各時刻の関係を示す。
【００４３】
ダウンロード端末１１０がサーバ１００から取得した、暗号化レンタルコンテンツ１０１に関連付けられたライセンス情報１０２は、図２（ａ）に示すように、暗号化レンタルコンテンツ１０１の識別子であるコンテンツＩＤ１０３、暗号化レンタルコンテンツ１０１を復号するための復号鍵１０４、コンテンツ権利者からサービス事業者が当該コンテンツのレンタルサービス実施の許諾を受けたサービス提供期間１０５、初回視聴時から視聴を行うことができる期間をあらわす視聴期間１０６とから構成される。
【００４４】
サービス事業者は、サービス提供期間１０５であらわされる期間の範囲中で、視聴期間１０６で表される視聴期間の視聴権利をユーザに販売することになるが、サービス提供期間１０５の範囲外の日時でユーザが暗号化レンタルコンテンツ１０１を視聴できてしまうことは、サービス事業者がコンテンツ権利者からコンテンツを調達する契約の違反事項となる。
【００４５】
なお、サービス提供期間１０５が、本発明の確定提供期間の一例にあたり、視聴期間１０６が、本発明の許諾視聴期間の一例にあたる。
【００４６】
ライセンス情報変換部１１４におけるライセンス情報１１５の具体的な作成方法は、ライセンス情報１０２に記載のサービス提供期間１０５の範囲から視聴期間１０６に示される時間の長さを減じた期間を、初回視聴期限１１６として保存する。
【００４７】
なお、初回視聴期限１１６が、本発明の再生開始可能期間の一例にあたる。
【００４８】
図２（ａ）に示す例の場合には、図３に示すように、サービス提供期間１０５は、サービス開始時刻１３０（2010/1/1/12:00）からサービス最終時刻１３１（2010/12/31/12:00）までの期間であり、ライセンス情報変換部１１４は、開始時刻をサービス提供期間１０５のサービス開始時刻１３０と同じ時刻とし、最終時刻を、サービス最終時刻１３１から視聴期間１０６の長さ（４８時間）を減じた初回視聴可能最終時刻１３２（2010/12/29/12:00）とした期間を初回視聴期限１１６と算出する。
【００４９】
また、ライセンス情報１１５の視聴期限１１７は、ＳＤカード１１３を初回視聴する端末が、初回視聴を開始する時刻をもとに、当該暗号化レンタルコンテンツ１０１を視聴してよい開始日時と終了日時を算出して書き込むための領域であり、ライセンス情報変換部１１４がライセンス情報１１５を生成する際には、図２（ｂ）に示すように、領域だけが定義されて値は書き込まれない。
【００５０】
なお、暗号化レンタルコンテンツ１０１およびライセンス情報１１５をＳＤカード１１３に書き込む際に、そのときの時刻が初回視聴期限１１６を超過していた場合には、ＳＤカード書き出し部１１２は、暗号化レンタルコンテンツ１０１およびライセンス情報１１５のＳＤカード１１３への書き込みを行なわない。
【００５１】
図４は、本実施の形態１の、ＳＤカード１１３上の暗号化レンタルコンテンツ１０１を視聴する視聴端末１２０の視聴期限判定部１２３における視聴期限確定処理を表すフローチャートである。
【００５２】
視聴端末１２０において、ＳＤカード読み書き部１２１によってＳＤカード１１３から読み出されたライセンス情報１１５を、視聴期限判定部１２３が取得し、視聴期限１１７が設定済みであるかどうかを調べ（ステップＳ２００）、未設定であればいままで一度も視聴されたことが無いと判断するとともに、現在時刻と初回視聴期限１１６とを比較することにより、初回視聴期限内であるかどうかを調べる（ステップＳ２０１）。
【００５３】
初回視聴期限を既に超過してしまっている場合には、サービスを実施してよい期間が既に終了してしまっていることを意味するので、ステップＳ２０４において当該暗号化レンタルコンテンツ１０１を削除する。
【００５４】
初回視聴期限１１６にまだ到達していない場合には、ユーザに対して、当該コンテンツがまだ視聴可能な日時になっていないことを提示し、再生は開始されない（ステップＳ２０６）。
【００５５】
現在時刻が初回視聴期限１１６の範囲内である場合には、視聴期限判定部１２３は、現在時刻と視聴期間１０６とをもとに、視聴期限１１７を算出してＳＤカード１１３上のライセンス情報１２５として書き戻す（ステップＳ２０２）。
【００５６】
図２（ｃ）は、視聴期限判定部１２３が視聴期限１１７を算出して設定したライセンス情報１２５の構成例を示している。
【００５７】
図３に示すように、このときの時刻が初回視聴開始時刻１３３（2010/5/1/18:00）であった場合、図２（ｃ）に示すように、初回視聴開始時刻１３３から視聴期間１０６で示された４８時間を加算した時刻（2010/5/3/18:00）までの期間が視聴期限１１７と算出されて確定され、ライセンス情報１２５としてＳＤカード１１３に書き戻される。
【００５８】
ステップＳ２００において、視聴期限１１７が設定されており確定済みであった場合には、視聴期限判定部１２３は、視聴期限１１７と現在時刻とを比較し（ステップＳ２０３）、現在時刻が視聴期限１１７の範囲内に入っていれば当該暗号化レンタルコンテンツ１０１の再生を開始する（ステップＳ２０５）。
【００５９】
このとき、現在時刻が視聴期限１１７を既に超過してしまっている場合には、ユーザの視聴権利は既に失われているので、当該暗号化レンタルコンテンツ１０１を削除する（ステップＳ２０４）。また、現在時刻が視聴期限１１７の開始日時にまだ到達していない場合には、ユーザに対して、当該暗号化レンタルコンテンツ１０１がまだ視聴可能な日時になっていないことを提示し、再生は開始されない（ステップＳ２０６）。
【００６０】
以上のようにして、コンテンツ権利者とサービス事業者の意図するサービス提供期間１０５は、暗号化レンタルコンテンツ１０１がＳＤカード１１３に書き出された後でも、意図通りに遵守される。
【００６１】
なお、本実施の形態１においては、サービス提供期間１０５から初回視聴期限１１６を算出する演算はダウンロード端末１１０側での減算という形態で説明したが、初回視聴期限１１６を算出する方法はこれに限らない。つまり、サーバ１００側で減算を行った結果をダウンロード端末１１０に渡し、ライセンス情報変換部１１４は減算を行わなくても同じ効果が得られるし、さらに言えば、減算を行うのではなく、あらかじめ、視聴期間１０６を視聴期限１１７に変換してもよい期間を示す初回視聴期限１１６を、サーバ１００からダウンロード端末１１０に付与しても同じ効果が得られることは言うまでもない。
【００６２】
また、本実施の形態１では、サービス提供期間１０５のサービス最終時刻１３１から視聴期間１０６を減算した期間を初回視聴期限１１６とすることとしたが、サービス提供期間１０５のサービス最終時刻１３１から、視聴期間１０６に所定時間（例えば３時間など）を加算した期間の長さ分を減算した期間を、初回視聴期限１１６としてもよい。このようにすることにより、コンテンツ権利者とサービス事業者の意図するサービス提供期間をより確実に遵守することができる。
【００６３】
また、本実施の形態１では、ステップＳ２０４において、ＳＤカード１１３上の暗号化レンタルコンテンツ１０１を削除することとしたが、削除するのではなく、ＳＤカード１１３からの読み出しや利用を不能にするなど、暗号化レンタルコンテンツ１０１を無効化するようにしてもよい。
【００６４】
なお、上記した本実施の形態１の場合には、図３において、視聴端末１２０における初回の視聴開始時刻が初回視聴期限１１６の最終時刻である初回視聴可能最終時刻１３２を超過していた場合には、サービス提供期間１０５の最終時刻であるサービス最終時刻１３１に到達する前の時間であっても、図４のステップＳ２０１において初回視聴期限を超過していると判定されて、ＳＤカード１１３上の暗号化レンタルコンテンツ１０１を再生できない。これは、初回視聴可能最終時刻１３２以降に視聴端末１２０における初回の視聴を開始した場合には、ユーザに許諾された視聴期間１０６（この場合には、４８時間）を確保できないためである。図３に示す視聴期間確保不可期間１４０が、サービス提供期間１０５内の期間ではあるが、初回視聴を開始した場合に視聴期間１０６を確保できなくなる期間を示している。
【００６５】
しかし、視聴期間確保不可期間１４０には視聴期間１０６を確保できないものの、サービス提供期間１０５内であるので、その期間に、ユーザに視聴可能とさせてもよい。
【００６６】
例えば、ダウンロード端末１１０のライセンス情報変換部１１４においてライセンス情報１１５を作成する際に、そのときの現在時刻が視聴期間確保不可期間１４０の範囲内の期間であった場合には、現在時刻を開始時刻、サービス最終時刻１３１を最終時刻とする期間を示す絶対時間情報を視聴期限１１７に設定したライセンス情報１４１を作成し、ＳＤカード１１３に書き出すようにしてもよい。
【００６７】
なお、このときに、視聴期限１１７の最終時刻として設定した時刻が、本発明の、コンテンツを視聴可能な有効期限の一例にあたる。
【００６８】
図５は、このときにＳＤカード１１３に書き出すライセンス情報１４１の構成例を示している。
【００６９】
図５は、初回視聴可能最終時刻１３２（2010/12/29:12:00）を超過しているが、サービス最終時刻１３１（2010/12/31/12:00）を超過していない視聴期間確保不可期間１４０内の時刻である2010/12/30/10:00に、ライセンス情報１４１をＳＤカード１１３に書き出した場合を示しており、この場合には視聴期間１０６（４８時間）を確保できないものの、ライセンス情報１４１の視聴期限１１７で示された期間内は、視聴端末１２０で、ＳＤカード１１３上の暗号化レンタルコンテンツ１０１を視聴可能となる。
【００７０】
なお、この場合には、初回視聴期限１１６および視聴期間１０６の情報は必要ないので、図５のライセンス情報１４１では未設定としているが、これらの値を設定したままにしておいて、視聴端末１２０の視聴期限判定部１２３が、これらの設定値よりも視聴期限１１７の値を優先して判断するようにしてもよい。
【００７１】
また、視聴端末１２０においても、視聴期限判定部１２３が、ステップＳ２０１において、初回視聴期限１１６を超過している場合に視聴期間確保不可期間１４０内の期間であるかを判定して、視聴期限１１７を設定するようにしてもよい。
【００７２】
つまり、ユーザからの初回の視聴開始の依頼を受けた際に、初回視聴期限１１６の最終時刻である初回視聴可能最終時刻１３２に視聴期間１０６を加算した時刻と現在時刻とを比較し、現在時刻がその時刻を超過していなかった場合には、視聴可能であると判定し、現在時刻を開始時刻、初回視聴可能最終時刻１３２に視聴期間１０６を加算した時刻を最終時刻とする期間を示す絶対時間情報を視聴期限１１７に設定したライセンス情報１４１をＳＤカード１１３に書き戻すとともに、ＳＤカード１１３上の暗号化レンタルコンテンツ１０１を再生開始させてもよい。
【００７３】
このように対応することにより、コンテンツ権利者とサービス事業者の意図するサービス提供期間を遵守するとともに、ユーザは、サービス提供期間１０５のサービス最終時刻１３１まで暗号化レンタルコンテンツ１０１を視聴することが可能となる。
【００７４】
なお、ダウンロード端末１１０のライセンス情報変換部１１４におけるライセンス情報１１５を作成する処理は、ＣＰＵによりプログラムを実行させてソフトウェアで実現することにより、ライセンス情報１０２やライセンス情報１１５の構成の仕様変更などに柔軟に対応できる。同様に、視聴端末１２０の視聴期限判定部１２３および再生制御部１２４についても、ソフトウェアで実現することにより、ライセンス情報１１５の構成の仕様変更などに柔軟に対応できる。
【００７５】
なお、本発明のプログラムは、上述したコンテンツ再生方法の、前記許諾視聴期間および前記確定提供期間に基づいて再生開始可能期間を得る前記再生期間情報生成ステップ、および、前記可換媒体に記録された前記コンテンツの再生を開始する際に、現在時刻と前記再生開始可能期間とを比較し、前記現在時刻が前記再生開始可能期間内の時刻であれば、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、前記コンテンツ再生ステップの動作をコンピュータにより実行させるためのプログラムであって、コンピュータと協働して動作するプログラムである。
【００７６】
また、本発明の記録媒体は、上述したコンテンツ再生方法の、前記許諾視聴期間および前記確定提供期間に基づいて再生開始可能期間を得る前記再生期間情報生成ステップ、および、前記可換媒体に記録された前記コンテンツの再生を開始する際に、現在時刻と前記再生開始可能期間とを比較し、前記現在時刻が前記再生開始可能期間内の時刻であれば、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、前記コンテンツ再生ステップの動作をコンピュータにより実行させるためのプログラムを記録した記録媒体であり、コンピュータにより読み取り可能かつ、読み取られた前記プログラムが前記コンピュータと協働して利用される記録媒体である。
【００７７】
また、本発明の上記「ステップの動作」とは、前記ステップの全部または一部の動作を意味する。
【００７８】
また、本発明のプログラムの一利用形態は、コンピュータにより読み取り可能な、ＲＯＭ等の記録媒体に記録され、コンピュータと協働して動作する態様であっても良い。
【００７９】
また、本発明のプログラムの一利用形態は、インターネット等の伝送媒体、光・電波等の伝送媒体中を伝送し、コンピュータにより読みとられ、コンピュータと協働して動作する態様であっても良い。
【００８０】
また、上述した本発明のコンピュータは、ＣＰＵ等の純然たるハードウェアに限らず、ファームウェアや、ＯＳ、更に周辺機器を含むものであっても良い。
【００８１】
なお、以上説明した様に、本発明の構成は、ソフトウェア的に実現しても良いし、ハードウェア的に実現しても良い。
【産業上の利用可能性】
【００８２】
本発明に係るコンテンツ受信機、コンテンツ利用システムおよびコンテンツ再生方法等は、視聴期限が確定していないレンタルコンテンツを可換媒体に書き出した場合でも、そのコンテンツに対するサービス提供期間を遵守できる効果を有し、有限の視聴期限をもつレンタルコンテンツを可換媒体に書き出すコンテンツ受信機、コンテンツ利用システム、およびコンテンツ再生方法等として有用である。
【符号の説明】
【００８３】
１００  サーバ
１０１  暗号化レンタルコンテンツ
１０２  ライセンス情報
１０３  コンテンツＩＤ
１０４  復号鍵
１０５  サービス提供期間
１０６  視聴期間
１０９  送信部
１１０  ダウンロード端末
１１１  ダウンローダ
１１２  ＳＤカード書き出し部
１１３  ＳＤカード
１１４  ライセンス情報変換部
１１５  ライセンス情報
１１６  初回視聴期限
１１７  視聴期限
１２０  視聴端末
１２１  ＳＤカード読み書き部
１２３  視聴期限判定部
１２４  再生制御部
１２５  ライセンス情報
１３０  サービス開始時刻
１３１  サービス最終時刻
１３２  初回視聴可能最終時刻
１３３  初回視聴開始時刻
１４０  視聴期間確保不可期間
１４１  ライセンス情報
３００  コンテンツサーバ
３０１  ライセンスサーバ
３０２  ダウンロード端末
３０３  ＨＤＤ
３０４  視聴ライセンス要求
３０５  視聴期限付き視聴ライセンス
３０６  書き出しライセンス要求
３０７  視聴期間付き書き出しライセンス
３０８  ＳＤカード
３１０  視聴端末
３１１  視聴期間情報
【図１】
2011117942.tif 000003
【図２】
2011117942.tif 000004
【図３】
2011117942.tif 000005
【図４】
2011117942.tif 000006
【図５】
2011117942.tif 000007
【図６】
2011117942.tif 000008
【図７】
2011117942.tif 000009
【手続補正書】
【提出日】平成24年9月11日(2012.9.11)
【手続補正１】
【補正対象書類名】明細書
【補正対象項目名】全文
【補正方法】変更
【補正の内容】
【発明の詳細な説明】
【技術分野】
【０００１】
本発明は、有限の視聴期限をもつレンタルコンテンツを可換媒体に書き出すコンテンツ受信機、コンテンツ利用システム、およびコンテンツ再生方法等に関する。
【背景技術】
【０００２】
近年、インターネットの発達により、映画や音楽等をダウンロードして再生する技術が一般化しつつある。映画や音楽等のコンテンツ配信を行うサーバから、ＰＣ、ＡＶ機器、携帯電話やポータブル機器にネットワーク経由でコンテンツをダウンロードするサービスが多く提供されている。
【０００３】
この様なコンテンツ配信サービスの形態においては、ユーザが購入したコンテンツを永続的に視聴可能な売り切り型のコンテンツ販売と、ダウンロードしたコンテンツを限られた視聴期限の中で視聴することが可能なレンタル販売とがある。
【０００４】
典型的なダウンロード型のレンタル販売においては、コンテンツを供給するコンテンツ事業者がコンテンツサーバとＤＲＭサーバを運用し、視聴者側のコンテンツ受信機はコンテンツサーバから暗号化されたレンタルコンテンツをダウンロードするとともに、ＤＲＭサーバから暗号化コンテンツの復号鍵とコンテンツの視聴条件とを取得する。コンテンツの視聴条件の中には、当該コンテンツを視聴することが許される視聴期限情報や、コンテンツの複製条件などが含まれる。
【０００５】
コンテンツ受信機はレンタルコンテンツを再生する場合に、ＤＲＭサーバから指定された視聴期限を参照し、視聴期限が超過していなければ当該コンテンツの再生を開始するとともに、視聴期限を超過していれば当該コンテンツの削除を実施する。
【０００６】
また、コンテンツ受信機は、レンタルコンテンツを視聴期限とともにＳＤカードなどの可換媒体に書き出すこともあり、この場合もＳＤカードの再生端末はレンタルコンテンツを再生しようとしたとき、または再生を終えたときに当該コンテンツの視聴期限を検査し、視聴期限が超過していれば、当該コンテンツを削除する。この種の視聴期限付きコンテンツの再生方法として例えば、特許文献１に記載されているようなものがあった。
【０００７】
図６は、従来のコンテンツダウンロードにおいて、コンテンツをサーバからダウンロードした端末が、ダウンロード端末自身にコンテンツを蓄積して視聴する場合のシーケンス図であり、図７は、他の端末でこのコンテンツを視聴するためにコンテンツをＳＤカードに書き出す場合のシーケンス図である。
【０００８】
ダウンロード端末３０２自身がコンテンツを視聴する場合、図６に示すように、ダウンロード端末３０２は、インターネット（図示せず）を介してコンテンツサーバ３００から暗号化レンタルコンテンツをダウンロードして、ダウンロード端末３０２内のＨＤＤ３０３に蓄積する。ダウンロード端末３０２のユーザがこのレンタルコンテンツを再生する指示を行ったとき、ダウンロード端末３０２は当該コンテンツの視聴ライセンスをライセンスサーバ３０１から取得するために、視聴ライセンス要求３０４をライセンスサーバ３０１に送信し、ライセンスサーバ３０１は、視聴ライセンス要求３０４を受信した時刻をもとに、当該コンテンツの視聴期限を決定し、視聴期限付き視聴ライセンス３０５としてダウンロード端末３０２に返送する。
【０００９】
ダウンロード端末３０２は、ライセンスサーバ３０１から取得した視聴期限付き視聴ライセンス３０５から、暗号化レンタルコンテンツの復号鍵と、視聴期限とを取り出し、現在時刻と視聴期限とを比較し、現在時刻が視聴期限の範囲内であれば当該コンテンツの復号および再生を行う。
【００１０】
またダウンロード端末３０２が、他の端末で視聴を行うために、レンタルコンテンツをＳＤカード３０８に書き出す場合には、図７に示すように、最初にライセンスサーバ３０１に対して書き出しライセンス要求３０６を送付する。先ほどの視聴ライセンスの場合とは異なり、書き出しライセンスの場合は、ＳＤカード３０８に書き出した時刻と、初回視聴を開始する時刻とが大きく離れている場合があるため、ライセンスサーバ３０１は視聴期限を確定させること無く、例えば「４８時間視聴可能」などの視聴可能な時間の長さを示す視聴期間情報を、視聴期間付き書き出しライセンス３０７に設定してダウンロード端末３０２に返送する。
【００１１】
ダウンロード端末３０２は、受信した視聴期間付き書き出しライセンス３０７から暗号化レンタルコンテンツの復号鍵を取り出し、コンテンツサーバ３００から暗号化レンタルコンテンツをダウンロードしながらこれを復号し、ＳＤカード３０８への書き出し暗号化を並列して実施しつつＳＤカード３０８への書き出しを行う。
【００１２】
この場合、ＳＤカード３０８への書き出しを行っている時点では視聴期限がまだ確定していないため、ＳＤカード３０８上に記録されたレンタルコンテンツの管理情報としては、絶対日時の視聴期限ではなく、例えば４８時間などの視聴期間（視聴期間情報３１１）が記録される。
【００１３】
ＳＤカード３０８上のレンタルコンテンツを再生する視聴端末３１０においては、初回再生時に時刻情報を参照し、この視聴期間を視聴期限情報に変換してから視聴を行うことにより視聴期限が確定し、書き出し時刻から４８時間ではなく、初回視聴時刻から４８時間の視聴が可能となる。
【先行技術文献】
【特許文献】
【００１４】
【特許文献１】特開２００３−１２２６４３号公報
【発明の概要】
【発明が解決しようとする課題】
【００１５】
しかしながら、上記従来の技術においてレンタルコンテンツをＳＤカードに書き出す場合、ＳＤカード３０８にレンタルコンテンツを書き出す際には視聴期限が確定しておらず、視聴期限を確定させるのは視聴端末３１０であるため、サービス事業者やコンテンツ権利者の意図するサービス提供期間を遵守することができないという課題があった。
【００１６】
具体的に説明すると、サービス事業者がコンテンツ権利者からレンタルコンテンツのサービス使用許諾を取得する際には、サービスを実施してよいサービス期間、すなわちそのコンテンツをユーザに視聴させてもよい期間が定められる。例えば、劇場で公開された映画をレンタルサービスに利用する場合、サービス事業者がコンテンツ権利者から得るサービス許諾条件として、劇場公開初日から起算して９０日後から３６０日後までの２７０日間に限ってサービスを実施してよい、などのサービス提供期間が定められる。
【００１７】
図６に示したような、ダウンロード端末３０２がレンタルコンテンツを初回再生するときにライセンスサーバ３０１から視聴期限付き視聴ライセンス３０５を取得するモデルであれば、ライセンスサーバ３０１が視聴期限付き視聴ライセンス３０５をダウンロード端末３０２に返送する際に、当該コンテンツのサービス提供期間の範囲内であるか否かを判断すればよいので、サービス提供期間の範囲外において視聴期限付き視聴ライセンス３０５がダウンロード端末３０２に渡されることは無く、結果としてサービス事業者はサービス提供期間外にダウンロード端末３０２にレンタルコンテンツの視聴をさせないとともに、初回視聴を行う時刻をもとに視聴期限を定めることが実現できた。
【００１８】
これに対して、図７に示すような、ＳＤカード３０８への書き出しを行うモデルでは、初回視聴を行う時刻をもとに視聴期限を定めるためには、視聴期間付き書き出しライセンス３０７をあらかじめダウンロード端末３０２に与えてＳＤカード３０８に書き出しを実施しておき、ＳＤカード３０８を再生する端末（図示せず）が「視聴期間」を「視聴期限」に変換することを行う必要があるため、コンテンツ権利者やサービス事業者の意図しない日時に初回再生を実施されてしまう可能性があり、結果としてサービス事業者はサービス提供期間を遵守することができなくなってしまうという課題があった。
【００１９】
本発明は、上記従来の課題を考慮して、視聴期限が確定していないレンタルコンテンツを可換媒体に書き出した場合でも、そのコンテンツに対するサービス提供期間を遵守できる、コンテンツ受信機、コンテンツ利用システム、およびコンテンツ再生方法等を提供することを目的とする。
【課題を解決するための手段】
【００２０】
上述した課題を解決するために、第１の本発明は、
最初に再生される際から所定の長さの許諾視聴期間の視聴が許諾されるコンテンツをコンテンツサーバから受信し、前記コンテンツを可換媒体に書き出すコンテンツ受信機であって、
前記コンテンツ毎に絶対時間によって確定されている、再生を許諾する確定提供期間と、前記許諾視聴期間とを前記コンテンツサーバから受信する期間情報受信部と、
前記許諾視聴期間および前記確定提供期間に基づいて再生開始可能期間を得る再生期間情報生成部と、
前記再生開始可能期間、前記許諾視聴期間および前記コンテンツを、前記可換媒体に書き出す書き出し部とを備えた、コンテンツ受信機である。
【００２１】
また、第２の本発明は、
前記再生期間情報生成部は、前記確定提供期間の最終時刻から前記許諾視聴期間を減算した期間を前記再生開始可能期間とする、第１の本発明のコンテンツ受信機である。
【００２２】
また、第３の本発明は、
前記書き出し部は、書き出し時の現在時刻が前記再生開始可能期間を超過していた場合には、前記コンテンツを前記可換媒体へ書き出さない、第１の本発明のコンテンツ受信機である。
【００２３】
また、第４の本発明は、
前記書き出し部は、書き出し時の現在時刻が前記再生開始可能期間を超過しており、かつ前記確定提供期間を超過していない場合には、前記確定提供期間の最終時刻を、前記コンテンツを視聴可能な有効期限として前記可換媒体へ書き出す、第１の本発明のコンテンツ受信機である。
【００２４】
また、第５の本発明は、
最初に再生される際から所定の長さの許諾視聴期間の視聴が許諾されるコンテンツを蓄積したコンテンツサーバと、前記コンテンツを前記コンテンツサーバから受信し可換媒体に書き出すコンテンツ受信機と、前記可換媒体に記録された前記コンテンツを再生するコンテンツ再生機とを備えたコンテンツ利用システムであって、
前記コンテンツサーバは、
前記コンテンツ毎に絶対時間によって確定されている、再生を許諾する確定提供期間と、前記許諾視聴期間とを前記コンテンツ受信機へ送信する期間情報送信部を有し、
前記コンテンツ受信機は、
前記許諾視聴期間および前記確定提供期間を前記コンテンツサーバから受信する期間情報受信部と、
前記許諾視聴期間および前記確定提供期間に基づいて再生開始可能期間を得る再生期間情報生成部と、
前記再生開始可能期間、前記許諾視聴期間および前記コンテンツを、前記可換媒体に書き出す書き出し部とを有し、
前記コンテンツ再生機は、
前記可換媒体に記録された前記コンテンツの再生を開始する際に、現在時刻と前記再生開始可能期間とを比較し、前記現在時刻が前記再生開始可能期間内の時刻であれば、前記現在時刻に前記許諾視聴期間を加算した時刻を前記コンテンツを視聴可能な有効期限と設定して、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、コンテンツ再生部を有する、コンテンツ利用システムである。
【００２５】
また、第６の本発明は、
前記所定条件とは、前記現在時刻が、前記再生開始可能期間の最終時刻に前記許諾視聴期間を加算した時刻を超過していることであり、
前記コンテンツ再生部は、前記現在時刻が前記再生開始可能期間より後の時刻であり、かつ前記加算した時刻を超過していない場合には、前記加算した時刻を前記有効期限と設定して、前記コンテンツを再生する、第５の本発明のコンテンツ利用システムである。
【００２６】
また、第７の本発明は、
前記コンテンツ再生部は、前記所定条件に代えて無条件とし、前記現在時刻が前記再生開始可能期間を超過していた場合には、前記コンテンツを削除または無効化する、第５の本発明のコンテンツ利用システムである。
【００２７】
また、第８の本発明は、
最初に再生される際から所定の長さの許諾視聴期間の視聴が許諾されるコンテンツを蓄積したコンテンツサーバと、前記コンテンツを前記コンテンツサーバから受信し可換媒体に書き出すコンテンツ受信機と、前記可換媒体に記録された前記コンテンツを再生するコンテンツ再生機とを備えたコンテンツ利用システムにおけるコンテンツ再生方法であって、
前記コンテンツ毎に絶対時間によって確定されている、再生を許諾する確定提供期間と、前記許諾視聴期間とを前記コンテンツサーバから前記コンテンツ受信機へ送信する期間情報送信ステップと、
前記コンテンツ受信機によって、前記許諾視聴期間および前記確定提供期間に基づいて再生開始可能期間を得る再生期間情報生成ステップと、
前記コンテンツ受信機によって、前記再生開始可能期間、前記許諾視聴期間および前記コンテンツを、前記可換媒体に書き出す書き出しステップと、
前記コンテンツ再生機によって、前記可換媒体に記録された前記コンテンツの再生を開始する際に、現在時刻と前記再生開始可能期間とを比較し、前記現在時刻が前記再生開始可能期間内の時刻であれば、前記現在時刻に前記許諾視聴期間を加算した時刻を前記コンテンツを視聴可能な有効期限と設定して、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、コンテンツ再生ステップとを備えた、コンテンツ再生方法である。
【００２８】
また、第９の本発明は、
第８の本発明のコンテンツ再生方法の、前記許諾視聴期間および前記確定提供期間に基づいて再生開始可能期間を得る前記再生期間情報生成ステップ、および、前記可換媒体に記録された前記コンテンツの再生を開始する際に、現在時刻と前記再生開始可能期間とを比較し、前記現在時刻が前記再生開始可能期間内の時刻であれば、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、前記コンテンツ再生ステップをコンピュータに実行させるプログラムである。
【００２９】
また、第１０の本発明は、
第９の本発明のプログラムを記録した記録媒体であって、コンピュータにより処理可能な記録媒体である。
【発明の効果】
【００３０】
本発明により、視聴期限が確定していないレンタルコンテンツを可換媒体に書き出した場合でも、そのコンテンツに対するサービス提供期間を遵守できるコンテンツ受信機、コンテンツ利用システム、およびコンテンツ再生方法等を提供できる。
【図面の簡単な説明】
【００３１】
【図１】本発明の実施の形態１における、ダウンロードシステムの構成図
【図２】（ａ）本発明の実施の形態１の、ダウンロード端末がサーバから取得するライセンス情報の構成例を示す図、（ｂ）本発明の実施の形態１の、ライセンス情報変換部が作成するライセンス情報の構成例を示す図、（ｃ）本発明の実施の形態１の、視聴期限判定部が視聴期限を確定したライセンス情報の構成例を示す図
【図３】本発明の実施の形態１の、ライセンス情報で示される各期間および各時刻の関係を示す図
【図４】本発明の実施の形態１の、視聴端末の視聴期限判定部における視聴期限確定処理のフローチャート
【図５】本発明の実施の形態１において、視聴期間確保不可期間に暗号化レンタルコンテンツをＳＤカードに書き出す際に、ライセンス情報変換部が作成するライセンス情報の構成例を示す図
【図６】従来のコンテンツダウンロードシステムにおいて、コンテンツをサーバからダウンロードした端末自身がコンテンツを視聴する場合の処理を表すシーケンス図
【図７】従来のコンテンツダウンロードシステムにおいて、コンテンツをサーバからダウンロードした端末とは別の端末でそのコンテンツを視聴する場合の処理を表すシーケンス図
【発明を実施するための形態】
【００３２】
以下、本発明の実施の形態について、図面を参照しながら説明する。
【００３３】
（実施の形態１）
図１は、本発明の実施の形態１におけるダウンロードシステムの構成図である。
【００３４】
ダウンロード端末１１０におけるダウンローダ１１１は、インターネットなどのネットワーク（図示せず）を介して接続されているサーバ１００から暗号化レンタルコンテンツ１０１をダウンロードし、ＳＤカード書き出し部１１２を介してＳＤカード１１３にこれを書き込む。またダウンローダ１１１は、ダウンロードした暗号化レンタルコンテンツ１０１に関連付けられたライセンス情報１０２を同様に取得し、ライセンス情報変換部１１４においてこれをライセンス情報１１５に変換した後、ＳＤカード書き出し部１１２を介してＳＤカード１１３に書き込む。
【００３５】
サーバ１００の送信部１０９は、ダウンロード端末１１０のダウンローダ１１１からの要求に応じて、サーバ１００内に蓄積している著作権保護された暗号化レンタルコンテンツ１０１およびライセンス情報１０２をダウンロード端末１１０へ送信する。
【００３６】
なお、ダウンロード端末１１０が、本発明のコンテンツ受信機の一例にあたり、サーバ１００が、本発明のコンテンツサーバの一例にあたる。また、ＳＤカード１１３が、本発明の可換媒体の一例にあたる。可換媒体とは、交換可能な記録メディアのことである。また、ダウンローダ１１１が、本発明の期間情報受信部の一例にあたり、ＳＤカード書き出し部１１２が、本発明の書き出し部の一例にあたる。また、ライセンス情報変換部１１４が、本発明の再生期間情報生成部の一例にあたる。また、サーバ１００の送信部１０９が、本発明の期間情報送信部の一例にあたる。また、サーバ１００からダウンロードされる暗号化レンタルコンテンツ１０１が、本発明の、最初に再生される際から所定の長さの許諾視聴期間の視聴が許諾されるコンテンツの一例にあたる。
【００３７】
ダウンロード端末１１０において暗号化レンタルコンテンツ１０１およびライセンス情報１１５が書き出されたＳＤカード１１３を、視聴端末１２０に挿入することにより、ダウンロード端末１１０とは別の視聴端末１２０で暗号化レンタルコンテンツ１０１を視聴することができる。
【００３８】
視聴端末１２０のＳＤカード読み書き部１２１が、ＳＤカード１１３に記録されている暗号化レンタルコンテンツ１０１およびライセンス情報１１５を読み込み、視聴期限判定部１２３がライセンス情報１１５に含まれる視聴期限に関する情報にしたがって暗号化レンタルコンテンツ１０１の再生可否の判定を行ない、再生可能と判定された場合には、再生制御部１２４が暗号化レンタルコンテンツ１０１を復号して、視聴端末１２０に内蔵されている画面や視聴端末１２０に接続されているディスプレイなどに出力して再生する。
【００３９】
なお、視聴端末１２０が、本発明のコンテンツ再生機の一例にあたり、視聴期限判定部１２３と再生制御部１２４を合わせた構成が、本発明のコンテンツ再生部の一例にあたる。
【００４０】
ダウンロード端末１１０のライセンス情報変換部１１４は、サーバ１００からライセンス情報１０２を取得し、ＳＤカード書き込み用のライセンス情報１１５を作成する。
【００４１】
図２（ａ）は、ダウンロード端末１１０がサーバ１００から取得したライセンス情報１０２の構成例を、図２（ｂ）は、ライセンス情報変換部１１４が作成したライセンス情報１１５の構成例を、それぞれ示している。
【００４２】
また、図３に、ライセンス情報１０２およびライセンス情報１１５で示される各期間および各時刻の関係を示す。
【００４３】
ダウンロード端末１１０がサーバ１００から取得した、暗号化レンタルコンテンツ１０１に関連付けられたライセンス情報１０２は、図２（ａ）に示すように、暗号化レンタルコンテンツ１０１の識別子であるコンテンツＩＤ１０３、暗号化レンタルコンテンツ１０１を復号するための復号鍵１０４、コンテンツ権利者からサービス事業者が当該コンテンツのレンタルサービス実施の許諾を受けたサービス提供期間１０５、初回視聴時から視聴を行うことができる期間をあらわす視聴期間１０６とから構成される。
【００４４】
サービス事業者は、サービス提供期間１０５であらわされる期間の範囲中で、視聴期間１０６で表される視聴期間の視聴権利をユーザに販売することになるが、サービス提供期間１０５の範囲外の日時でユーザが暗号化レンタルコンテンツ１０１を視聴できてしまうことは、サービス事業者がコンテンツ権利者からコンテンツを調達する契約の違反事項となる。
【００４５】
なお、サービス提供期間１０５が、本発明の確定提供期間の一例にあたり、視聴期間１０６が、本発明の許諾視聴期間の一例にあたる。
【００４６】
ライセンス情報変換部１１４におけるライセンス情報１１５の具体的な作成方法は、ライセンス情報１０２に記載のサービス提供期間１０５の範囲から視聴期間１０６に示される時間の長さを減じた期間を、初回視聴期限１１６として保存する。
【００４７】
なお、初回視聴期限１１６が、本発明の再生開始可能期間の一例にあたる。
【００４８】
図２（ａ）に示す例の場合には、図３に示すように、サービス提供期間１０５は、サービス開始時刻１３０（2010/1/1/12:00）からサービス最終時刻１３１（2010/12/31/12:00）までの期間であり、ライセンス情報変換部１１４は、開始時刻をサービス提供期間１０５のサービス開始時刻１３０と同じ時刻とし、最終時刻を、サービス最終時刻１３１から視聴期間１０６の長さ（４８時間）を減じた初回視聴可能最終時刻１３２（2010/12/29/12:00）とした期間を初回視聴期限１１６と算出する。
【００４９】
また、ライセンス情報１１５の視聴期限１１７は、ＳＤカード１１３を初回視聴する端末が、初回視聴を開始する時刻をもとに、当該暗号化レンタルコンテンツ１０１を視聴してよい開始日時と終了日時を算出して書き込むための領域であり、ライセンス情報変換部１１４がライセンス情報１１５を生成する際には、図２（ｂ）に示すように、領域だけが定義されて値は書き込まれない。
【００５０】
なお、暗号化レンタルコンテンツ１０１およびライセンス情報１１５をＳＤカード１１３に書き込む際に、そのときの時刻が初回視聴期限１１６を超過していた場合には、ＳＤカード書き出し部１１２は、暗号化レンタルコンテンツ１０１およびライセンス情報１１５のＳＤカード１１３への書き込みを行なわない。
【００５１】
図４は、本実施の形態１の、ＳＤカード１１３上の暗号化レンタルコンテンツ１０１を視聴する視聴端末１２０の視聴期限判定部１２３における視聴期限確定処理を表すフローチャートである。
【００５２】
視聴端末１２０において、ＳＤカード読み書き部１２１によってＳＤカード１１３から読み出されたライセンス情報１１５を、視聴期限判定部１２３が取得し、視聴期限１１７が設定済みであるかどうかを調べ（ステップＳ２００）、未設定であればいままで一度も視聴されたことが無いと判断するとともに、現在時刻と初回視聴期限１１６とを比較することにより、初回視聴期限内であるかどうかを調べる（ステップＳ２０１）。
【００５３】
初回視聴期限を既に超過してしまっている場合には、サービスを実施してよい期間が既に終了してしまっていることを意味するので、ステップＳ２０４において当該暗号化レンタルコンテンツ１０１を削除する。
【００５４】
初回視聴期限１１６にまだ到達していない場合には、ユーザに対して、当該コンテンツがまだ視聴可能な日時になっていないことを提示し、再生は開始されない（ステップＳ２０６）。
【００５５】
現在時刻が初回視聴期限１１６の範囲内である場合には、視聴期限判定部１２３は、現在時刻と視聴期間１０６とをもとに、視聴期限１１７を算出してＳＤカード１１３上のライセンス情報１２５として書き戻す（ステップＳ２０２）。
【００５６】
図２（ｃ）は、視聴期限判定部１２３が視聴期限１１７を算出して設定したライセンス情報１２５の構成例を示している。
【００５７】
図３に示すように、このときの時刻が初回視聴開始時刻１３３（2010/5/1/18:00）であった場合、図２（ｃ）に示すように、初回視聴開始時刻１３３から視聴期間１０６で示された４８時間を加算した時刻（2010/5/3/18:00）までの期間が視聴期限１１７と算出されて確定され、ライセンス情報１２５としてＳＤカード１１３に書き戻される。
【００５８】
ステップＳ２００において、視聴期限１１７が設定されており確定済みであった場合には、視聴期限判定部１２３は、視聴期限１１７と現在時刻とを比較し（ステップＳ２０３）、現在時刻が視聴期限１１７の範囲内に入っていれば当該暗号化レンタルコンテンツ１０１の再生を開始する（ステップＳ２０５）。
【００５９】
このとき、現在時刻が視聴期限１１７を既に超過してしまっている場合には、ユーザの視聴権利は既に失われているので、当該暗号化レンタルコンテンツ１０１を削除する（ステップＳ２０４）。また、現在時刻が視聴期限１１７の開始日時にまだ到達していない場合には、ユーザに対して、当該暗号化レンタルコンテンツ１０１がまだ視聴可能な日時になっていないことを提示し、再生は開始されない（ステップＳ２０６）。
【００６０】
以上のようにして、コンテンツ権利者とサービス事業者の意図するサービス提供期間１０５は、暗号化レンタルコンテンツ１０１がＳＤカード１１３に書き出された後でも、意図通りに遵守される。
【００６１】
なお、本実施の形態１においては、サービス提供期間１０５から初回視聴期限１１６を算出する演算はダウンロード端末１１０側での減算という形態で説明したが、初回視聴期限１１６を算出する方法はこれに限らない。つまり、サーバ１００側で減算を行った結果をダウンロード端末１１０に渡し、ライセンス情報変換部１１４は減算を行わなくても同じ効果が得られるし、さらに言えば、減算を行うのではなく、あらかじめ、視聴期間１０６を視聴期限１１７に変換してもよい期間を示す初回視聴期限１１６を、サーバ１００からダウンロード端末１１０に付与しても同じ効果が得られることは言うまでもない。
【００６２】
また、本実施の形態１では、サービス提供期間１０５のサービス最終時刻１３１から視聴期間１０６を減算した期間を初回視聴期限１１６とすることとしたが、サービス提供期間１０５のサービス最終時刻１３１から、視聴期間１０６に所定時間（例えば３時間など）を加算した期間の長さ分を減算した期間を、初回視聴期限１１６としてもよい。このようにすることにより、コンテンツ権利者とサービス事業者の意図するサービス提供期間をより確実に遵守することができる。
【００６３】
また、本実施の形態１では、ステップＳ２０４において、ＳＤカード１１３上の暗号化レンタルコンテンツ１０１を削除することとしたが、削除するのではなく、ＳＤカード１１３からの読み出しや利用を不能にするなど、暗号化レンタルコンテンツ１０１を無効化するようにしてもよい。
【００６４】
なお、上記した本実施の形態１の場合には、図３において、視聴端末１２０における初回の視聴開始時刻が初回視聴期限１１６の最終時刻である初回視聴可能最終時刻１３２を超過していた場合には、サービス提供期間１０５の最終時刻であるサービス最終時刻１３１に到達する前の時間であっても、図４のステップＳ２０１において初回視聴期限を超過していると判定されて、ＳＤカード１１３上の暗号化レンタルコンテンツ１０１を再生できない。これは、初回視聴可能最終時刻１３２以降に視聴端末１２０における初回の視聴を開始した場合には、ユーザに許諾された視聴期間１０６（この場合には、４８時間）を確保できないためである。図３に示す視聴期間確保不可期間１４０が、サービス提供期間１０５内の期間ではあるが、初回視聴を開始した場合に視聴期間１０６を確保できなくなる期間を示している。
【００６５】
しかし、視聴期間確保不可期間１４０には視聴期間１０６を確保できないものの、サービス提供期間１０５内であるので、その期間に、ユーザに視聴可能とさせてもよい。
【００６６】
例えば、ダウンロード端末１１０のライセンス情報変換部１１４においてライセンス情報１１５を作成する際に、そのときの現在時刻が視聴期間確保不可期間１４０の範囲内の期間であった場合には、現在時刻を開始時刻、サービス最終時刻１３１を最終時刻とする期間を示す絶対時間情報を視聴期限１１７に設定したライセンス情報１４１を作成し、ＳＤカード１１３に書き出すようにしてもよい。
【００６７】
なお、このときに、視聴期限１１７の最終時刻として設定した時刻が、本発明の、コンテンツを視聴可能な有効期限の一例にあたる。
【００６８】
図５は、このときにＳＤカード１１３に書き出すライセンス情報１４１の構成例を示している。
【００６９】
図５は、初回視聴可能最終時刻１３２（2010/12/29:12:00）を超過しているが、サービス最終時刻１３１（2010/12/31/12:00）を超過していない視聴期間確保不可期間１４０内の時刻である2010/12/30/10:00に、ライセンス情報１４１をＳＤカード１１３に書き出した場合を示しており、この場合には視聴期間１０６（４８時間）を確保できないものの、ライセンス情報１４１の視聴期限１１７で示された期間内は、視聴端末１２０で、ＳＤカード１１３上の暗号化レンタルコンテンツ１０１を視聴可能となる。
【００７０】
なお、この場合には、初回視聴期限１１６および視聴期間１０６の情報は必要ないので、図５のライセンス情報１４１では未設定としているが、これらの値を設定したままにしておいて、視聴端末１２０の視聴期限判定部１２３が、これらの設定値よりも視聴期限１１７の値を優先して判断するようにしてもよい。
【００７１】
また、視聴端末１２０においても、視聴期限判定部１２３が、ステップＳ２０１において、初回視聴期限１１６を超過している場合に視聴期間確保不可期間１４０内の期間であるかを判定して、視聴期限１１７を設定するようにしてもよい。
【００７２】
つまり、ユーザからの初回の視聴開始の依頼を受けた際に、初回視聴期限１１６の最終時刻である初回視聴可能最終時刻１３２に視聴期間１０６を加算した時刻と現在時刻とを比較し、現在時刻がその時刻を超過していなかった場合には、視聴可能であると判定し、現在時刻を開始時刻、初回視聴可能最終時刻１３２に視聴期間１０６を加算した時刻を最終時刻とする期間を示す絶対時間情報を視聴期限１１７に設定したライセンス情報１４１をＳＤカード１１３に書き戻すとともに、ＳＤカード１１３上の暗号化レンタルコンテンツ１０１を再生開始させてもよい。
【００７３】
このように対応することにより、コンテンツ権利者とサービス事業者の意図するサービス提供期間を遵守するとともに、ユーザは、サービス提供期間１０５のサービス最終時刻１３１まで暗号化レンタルコンテンツ１０１を視聴することが可能となる。
【００７４】
なお、ダウンロード端末１１０のライセンス情報変換部１１４におけるライセンス情報１１５を作成する処理は、ＣＰＵによりプログラムを実行させてソフトウェアで実現することにより、ライセンス情報１０２やライセンス情報１１５の構成の仕様変更などに柔軟に対応できる。同様に、視聴端末１２０の視聴期限判定部１２３および再生制御部１２４についても、ソフトウェアで実現することにより、ライセンス情報１１５の構成の仕様変更などに柔軟に対応できる。
【００７５】
なお、本発明のプログラムは、上述したコンテンツ再生方法の、前記許諾視聴期間および前記確定提供期間に基づいて再生開始可能期間を得る前記再生期間情報生成ステップ、および、前記可換媒体に記録された前記コンテンツの再生を開始する際に、現在時刻と前記再生開始可能期間とを比較し、前記現在時刻が前記再生開始可能期間内の時刻であれば、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、前記コンテンツ再生ステップの動作をコンピュータにより実行させるためのプログラムであって、コンピュータと協働して動作するプログラムである。
【００７６】
また、本発明の記録媒体は、上述したコンテンツ再生方法の、前記許諾視聴期間および前記確定提供期間に基づいて再生開始可能期間を得る前記再生期間情報生成ステップ、および、前記可換媒体に記録された前記コンテンツの再生を開始する際に、現在時刻と前記再生開始可能期間とを比較し、前記現在時刻が前記再生開始可能期間内の時刻であれば、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、前記コンテンツ再生ステップの動作をコンピュータにより実行させるためのプログラムを記録した記録媒体であり、コンピュータにより読み取り可能かつ、読み取られた前記プログラムが前記コンピュータと協働して利用される記録媒体である。
【００７７】
また、本発明の上記「ステップの動作」とは、前記ステップの全部または一部の動作を意味する。
【００７８】
また、本発明のプログラムの一利用形態は、コンピュータにより読み取り可能な、ＲＯＭ等の記録媒体に記録され、コンピュータと協働して動作する態様であっても良い。
【００７９】
また、本発明のプログラムの一利用形態は、インターネット等の伝送媒体、光・電波等の伝送媒体中を伝送し、コンピュータにより読みとられ、コンピュータと協働して動作する態様であっても良い。
【００８０】
また、上述した本発明のコンピュータは、ＣＰＵ等の純然たるハードウェアに限らず、ファームウェアや、ＯＳ、更に周辺機器を含むものであっても良い。
【００８１】
なお、以上説明した様に、本発明の構成は、ソフトウェア的に実現しても良いし、ハードウェア的に実現しても良い。
【産業上の利用可能性】
【００８２】
本発明に係るコンテンツ受信機、コンテンツ利用システムおよびコンテンツ再生方法等は、視聴期限が確定していないレンタルコンテンツを可換媒体に書き出した場合でも、そのコンテンツに対するサービス提供期間を遵守できる効果を有し、有限の視聴期限をもつレンタルコンテンツを可換媒体に書き出すコンテンツ受信機、コンテンツ利用システム、およびコンテンツ再生方法等として有用である。
【符号の説明】
【００８３】
１００  サーバ
１０１  暗号化レンタルコンテンツ
１０２  ライセンス情報
１０３  コンテンツＩＤ
１０４  復号鍵
１０５  サービス提供期間
１０６  視聴期間
１０９  送信部
１１０  ダウンロード端末
１１１  ダウンローダ
１１２  ＳＤカード書き出し部
１１３  ＳＤカード
１１４  ライセンス情報変換部
１１５  ライセンス情報
１１６  初回視聴期限
１１７  視聴期限
１２０  視聴端末
１２１  ＳＤカード読み書き部
１２３  視聴期限判定部
１２４  再生制御部
１２５  ライセンス情報
１３０  サービス開始時刻
１３１  サービス最終時刻
１３２  初回視聴可能最終時刻
１３３  初回視聴開始時刻
１４０  視聴期間確保不可期間
１４１  ライセンス情報
３００  コンテンツサーバ
３０１  ライセンスサーバ
３０２  ダウンロード端末
３０３  ＨＤＤ
３０４  視聴ライセンス要求
３０５  視聴期限付き視聴ライセンス
３０６  書き出しライセンス要求
３０７  視聴期間付き書き出しライセンス
３０８  ＳＤカード
３１０  視聴端末
３１１  視聴期間情報
【手続補正２】
【補正対象書類名】特許請求の範囲
【補正対象項目名】全文
【補正方法】変更
【補正の内容】
【特許請求の範囲】
【請求項１】
最初に再生される際から所定の長さの許諾視聴期間の視聴が許諾されるコンテンツをコンテンツサーバから受信し、前記コンテンツを可換媒体に書き出すコンテンツ受信機であって、
前記コンテンツ毎に絶対時間によって確定されている、再生を許諾する確定提供期間と、前記許諾視聴期間とを前記コンテンツサーバから受信する期間情報受信部と、
前記許諾視聴期間および前記確定提供期間に基づいて再生開始可能期間を得る再生期間情報生成部と、
前記再生開始可能期間、前記許諾視聴期間および前記コンテンツを、前記可換媒体に書き出す書き出し部とを備えた、コンテンツ受信機。
【請求項２】
前記再生期間情報生成部は、前記確定提供期間の最終時刻から前記許諾視聴期間を減算した期間を前記再生開始可能期間とする、請求項１に記載のコンテンツ受信機。
【請求項３】
前記書き出し部は、書き出し時の現在時刻が前記再生開始可能期間を超過していた場合には、前記コンテンツを前記可換媒体へ書き出さない、請求項１に記載のコンテンツ受信機。
【請求項４】
前記書き出し部は、書き出し時の現在時刻が前記再生開始可能期間を超過しており、かつ前記確定提供期間を超過していない場合には、前記確定提供期間の最終時刻を、前記コンテンツを視聴可能な有効期限として前記可換媒体へ書き出す、請求項１に記載のコンテンツ受信機。
【請求項５】
最初に再生される際から所定の長さの許諾視聴期間の視聴が許諾されるコンテンツを蓄積したコンテンツサーバと、前記コンテンツを前記コンテンツサーバから受信し可換媒体に書き出すコンテンツ受信機と、前記可換媒体に記録された前記コンテンツを再生するコンテンツ再生機とを備えたコンテンツ利用システムであって、
前記コンテンツサーバは、
前記コンテンツ毎に絶対時間によって確定されている、再生を許諾する確定提供期間と、前記許諾視聴期間とを前記コンテンツ受信機へ送信する期間情報送信部を有し、
前記コンテンツ受信機は、
前記許諾視聴期間および前記確定提供期間を前記コンテンツサーバから受信する期間情報受信部と、
前記許諾視聴期間および前記確定提供期間に基づいて再生開始可能期間を得る再生期間情報生成部と、
前記再生開始可能期間、前記許諾視聴期間および前記コンテンツを、前記可換媒体に書き出す書き出し部とを有し、
前記コンテンツ再生機は、
前記可換媒体に記録された前記コンテンツの再生を開始する際に、現在時刻と前記再生開始可能期間とを比較し、前記現在時刻が前記再生開始可能期間内の時刻であれば、前記現在時刻に前記許諾視聴期間を加算した時刻を前記コンテンツを視聴可能な有効期限と設定して、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、コンテンツ再生部を有する、コンテンツ利用システム。
【請求項６】
前記所定条件とは、前記現在時刻が、前記再生開始可能期間の最終時刻に前記許諾視聴期間を加算した時刻を超過していることであり、
前記コンテンツ再生部は、前記現在時刻が前記再生開始可能期間より後の時刻であり、かつ前記加算した時刻を超過していない場合には、前記加算した時刻を前記有効期限と設定して、前記コンテンツを再生する、請求項５に記載のコンテンツ利用システム。
【請求項７】
前記コンテンツ再生部は、前記所定条件に代えて無条件とし、前記現在時刻が前記再生開始可能期間を超過していた場合には、前記コンテンツを削除または無効化する、請求項５に記載のコンテンツ利用システム。
【請求項８】
最初に再生される際から所定の長さの許諾視聴期間の視聴が許諾されるコンテンツを蓄積したコンテンツサーバと、前記コンテンツを前記コンテンツサーバから受信し可換媒体に書き出すコンテンツ受信機と、前記可換媒体に記録された前記コンテンツを再生するコンテンツ再生機とを備えたコンテンツ利用システムにおけるコンテンツ再生方法であって、
前記コンテンツ毎に絶対時間によって確定されている、再生を許諾する確定提供期間と、前記許諾視聴期間とを前記コンテンツサーバから前記コンテンツ受信機へ送信する期間情報送信ステップと、
前記コンテンツ受信機によって、前記許諾視聴期間および前記確定提供期間に基づいて再生開始可能期間を得る再生期間情報生成ステップと、
前記コンテンツ受信機によって、前記再生開始可能期間、前記許諾視聴期間および前記コンテンツを、前記可換媒体に書き出す書き出しステップと、
前記コンテンツ再生機によって、前記可換媒体に記録された前記コンテンツの再生を開始する際に、現在時刻と前記再生開始可能期間とを比較し、前記現在時刻が前記再生開始可能期間内の時刻であれば、前記現在時刻に前記許諾視聴期間を加算した時刻を前記コンテンツを視聴可能な有効期限と設定して、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、コンテンツ再生ステップとを備えた、コンテンツ再生方法。
【請求項９】
請求項８に記載のコンテンツ再生方法の、前記許諾視聴期間および前記確定提供期間に基づいて再生開始可能期間を得る前記再生期間情報生成ステップ、および、前記可換媒体に記録された前記コンテンツの再生を開始する際に、現在時刻と前記再生開始可能期間とを比較し、前記現在時刻が前記再生開始可能期間内の時刻であれば、前記コンテンツを再生し、前記現在時刻が前記再生開始可能期間より前の時刻であれば、前記コンテンツを再生せず、前記現在時刻が前記再生開始可能期間より後の時刻であれば、所定条件を満たす場合には前記コンテンツを再生しない、前記コンテンツ再生ステップをコンピュータに実行させるプログラム。
【請求項１０】
請求項９に記載のプログラムを記録した記録媒体であって、コンピュータにより処理可能な記録媒体。
【手続補正３】
【補正対象書類名】図面
【補正対象項目名】全図
【補正方法】変更
【補正の内容】
【図１】
2011117942.tif 000010
【図２】
2011117942.tif 000011
【図３】
2011117942.tif 000012
【図４】
2011117942.tif 000013
【図５】
2011117942.tif 000014
【図６】
2011117942.tif 000015
【図７】
2011117942.tif 000016
【国際調査報告】
2011117942.tif 000017
2011117942.tif 000018